(57)【要約】【課題】前枠を中枠に対して適切に支持する。【解決手段】ヒンジ機構は、前枠１３に設けられ、ヒンジ軸７０を有するヒンジ部材６０と、中枠１２に設けられ、ヒンジ軸７０を回転可能に保持する軸受孔３６とを備えている。ヒンジ部材６０は、連結板部６３から該連結板部６３と交差するように延出形成され、互いに離間して対向する一対の支持板部６４,６５と、両支持板部６４,６５の夫々に貫通形成された軸孔６６,６７に挿通して該両支持板部６４,６５で支持され、上支持板部６４から上方に延出する軸端部７１が軸受孔３６に保持されるヒンジ軸７０とを備えている。【選択図】図３
2015202281.tif 000002
【特許請求の範囲】
【請求項１】
本体部材に対して開閉部材を開閉可能に支持するヒンジ機構を備えた遊技機において、
前記ヒンジ機構は、
前記本体部材および前記開閉部材の一方に設けられ、ヒンジ軸が配設されたヒンジ部材と、
前記本体部材および前記開閉部材の他方に設けられ、前記ヒンジ軸を回転可能に保持する軸受部とを有し、
前記ヒンジ部材は、
連結板部から該連結板部と交差するように延出形成され、互いに離間して対向する少なくとも一対の支持板部と、
両支持板部の夫々に貫通形成された軸孔に挿通して該両支持板部で支持され、一方の支持板部から他方の支持板部と反対側に延出する軸端部が前記軸受部に保持される前記ヒンジ軸とを備えた
ことを特徴とする遊技機。
【請求項２】
前記ヒンジ軸は、両支持板部に形成された軸孔に整合する軸本体と、該軸本体と前記軸端部との間に形成され、前記一方の支持板部に該軸本体を挿通可能に開設された軸孔より大径とされた規制部とを有し、
前記ヒンジ部材は、前記他方の支持板部から前記一方の支持板部と反対側に延出する係止端部の周面に取り付けられて、前記他方の支持板部に引っ掛かる係止部材と、前記一方の支持板部に引っ掛かる前記規制部とにより、前記ヒンジ軸における両支持板部の対向方向への移動を規制するよう構成した請求項１記載の遊技機。
【請求項３】
前記ヒンジ軸は、前記他方の支持板部から前記一方の支持板部と反対側に延出する係止端部と、他方の支持板部に前記係止端部を挿通可能に形成された軸孔より大径に形成されると共に、一方の支持板部に形成された軸孔と整合する軸本体とを有し、
前記ヒンジ部材は、前記係止端部の周面に取り付けられ、前記他方の支持板部に引っ掛かる係止部材と、該他方の支持板部に引っ掛かる前記軸本体とにより、前記ヒンジ軸における両支持板部の対向方向への移動を規制するよう構成した請求項１記載の遊技機。
【請求項４】
前記本体部材は、遊技盤を着脱可能に保持する本体枠であり、
前記開閉部材は、前記本体枠の前側に前記ヒンジ機構を介して開閉可能に組み付けられ、遊技機の前面を構成すると共に前記遊技盤を透視保護する装飾枠である請求項１〜３の何れか一項に記載の遊技機。
【発明の詳細な説明】
【技術分野】
【０００１】
この発明は、ヒンジ機構によって開閉可能に支持された開閉部材を備えた遊技機に関するものである。
【背景技術】
【０００２】
遊技機の一例であるパチンコ球(遊技球)を使用して遊技を行うパチンコ機は、その基本構成として、縦長方形の外枠の開口前面側に、各種の必要な遊技構成部材が搭載されて遊技盤を収容セットした中枠を開閉(横開き)および着脱可能に組み付けると共に、遊技盤の前面を透視保護するガラスユニットを組み付けた前枠を、中枠に対して開閉(横開き)および着脱可能に組み付けて構成される。
【０００３】
特許文献１に示すように、前枠は、中枠に対して上下に離間配置された一対のヒンジによって開閉可能に支持される。例えば上側のヒンジは、中枠の上面に取り付けられた上部片の下面から垂下するピンを、前枠に形成された軸孔に嵌め合わせることで、該ピンを軸とする前枠の揺動を許容している。
【先行技術文献】
【特許文献】
【０００４】
【特許文献１】特開２０１２−１３９３３４号公報
【発明の概要】
【発明が解決しようとする課題】
【０００５】
パチンコ機の前面の装飾性を向上するために、前枠には、装飾部材や発光装置や可動演出装置など、大型で多くの遊技部品が配設される傾向にあり、ヒンジで支持する前枠の荷重が増加している。前記ピンは、その根元の一部分が板金からなる上部片に溶接により接続されているだけであるから、強度の劣る溶接部分でピンが折れたりまたは曲がったりするなどの問題が生じることがある。ピンに問題が生じると、前枠を開閉した際に中枠に対する位置がズレて、中枠と前枠とで配設部材が干渉するなどの種々の不具合が発生してしまう。
【０００６】
すなわち本発明は、従来の技術に係る前記問題に鑑み、これらを好適に解決するべく提案されたものであって、開閉部材を位置ズレなく支持し得るヒンジ機構を備えた遊技機を提供することを目的とする。
【課題を解決するための手段】
【０００７】
前記課題を克服し、所期の目的を達成するため、本願の請求項１に係る発明の遊技機は、
本体部材(12)に対して開閉部材(13)を開閉可能に支持するヒンジ機構を備えた遊技機において、
前記ヒンジ機構は、
前記本体部材(12)および前記開閉部材(13)の一方に設けられ、ヒンジ軸(70,90)が配設されたヒンジ部材(60,80)と、
前記本体部材(12)および前記開閉部材(13)の他方に設けられ、前記ヒンジ軸(70,90)を回転可能に保持する軸受部(36)とを有し、
前記ヒンジ部材(60,80)は、
連結板部(63,83)から該連結板部(63,83)と交差するように延出形成され、互いに離間して対向する少なくとも一対の支持板部(64,65,84,85)と、
両支持板部(64,65,84,85)の夫々に貫通形成された軸孔(66,67,86,87)に挿通して該両支持板部(64,65,84,85)で支持され、一方の支持板部(64,84)から他方の支持板部(65,85)と反対側に延出する軸端部(71,91)が前記軸受部(36)に保持される前記ヒンジ軸(70,90)とを備えたことを要旨とする。
請求項１に係る発明によれば、ヒンジ軸が一対の支持板部で離間した位置で支持されているので、ヒンジ軸にかかる荷重を両支持板部に分散させることができる。すなわち、ヒンジ軸にかかる荷重を、該ヒンジ軸が配設されたヒンジ部材の１箇所で受けるのではなく、ヒンジ部材の２箇所で受ける構成であるから、ヒンジ軸が支持板部による支持部位で折れたり、曲がったりする等の不具合が生じ難く、ヒンジ軸の耐久性を向上することができる。このように、ヒンジ機構は、開閉部材の荷重を受けても該開閉部材の適正な姿勢を保つことができ、開閉部材を本体部材に対して位置ズレなく支持することができる。
【０００８】
請求項２に係る発明では、前記ヒンジ軸(70)は、両支持板部(64,65)に形成された軸孔(66,67)に整合する軸本体(72)と、該軸本体(72)と前記軸端部(71)との間に形成され、前記一方の支持板部(64)に該軸本体(72)を挿通可能に開設された軸孔(66)より大径とされた規制部(73)とを有し、
前記ヒンジ部材(60)は、前記他方の支持板部(65)から前記一方の支持板部(64)と反対側に延出する係止端部(74)の周面に取り付けられて、前記他方の支持板部(65)に引っ掛かる係止部材(75)と、前記一方の支持板部(64)に引っ掛かる前記規制部(73)とにより、前記ヒンジ軸(70)における両支持板部(64,65)の対向方向への移動を規制するよう構成したことを要旨とする。
請求項２に係る発明によれば、ヒンジ軸の係止端部の周面に取り付けられて、他方の支持板部に引っ掛かる係止部材と、一方の支持板部に引っ掛かるヒンジ軸の規制部とにより、両支持板部の軸孔に挿通したヒンジ軸の抜け止めを図ることができる。
【０００９】
請求項３に係る発明では、前記ヒンジ軸(90)は、前記他方の支持板部(85)から前記一方の支持板部(84)と反対側に延出する係止端部(94)と、他方の支持板部(85)に前記係止端部(94)を挿通可能に形成された軸孔(87)より大径に形成されると共に、一方の支持板部(84)に形成された軸孔(86)と整合する軸本体(92)とを有し、
前記ヒンジ部材(80)は、前記係止端部(94)の周面に取り付けられ、前記他方の支持板部(85)に引っ掛かる係止部材(75)と、該他方の支持板部(85)に引っ掛かる前記軸本体(92)とにより、前記ヒンジ軸(90)における両支持板部(84,85)の対向方向への移動を規制するよう構成したことを要旨とする。
請求項３に係る発明によれば、ヒンジ軸の係止端部の周面に取り付けられて、他方の支持板部に引っ掛かる係止部材と、他方の支持板部に引っ掛かるヒンジ軸の軸本体とにより、両支持板部の軸孔に挿通したヒンジ軸の抜け止めを図ることができる。ここで、一方の支持板部の軸孔に対してヒンジ軸において係止端部より大径の軸本体が整合する構成であるから、ヒンジ軸が支持板部による支持部位で折れたり、曲がったりする等の不具合の発生をより好適に防止できる。
【００１０】
請求項４に係る発明では、前記本体部材は、遊技盤(20)を着脱可能に保持する本体枠(12)であり、
前記開閉部材は、前記本体枠(12)の前側に前記ヒンジ機構を介して開閉可能に組み付けられ、遊技機(10)の前面を構成すると共に前記遊技盤(20)を透視保護する装飾枠(13)であることを要旨とする。
請求項４に係る発明によれば、遊技機の前面を構成する装飾枠を本体枠に対して適切に支持しているから、装飾枠が本体枠と位置ズレして意匠を損なったり、配設部材が干渉するなどの不具合の発生を防止できる。
【発明の効果】
【００１１】
本発明に係る遊技機によれば、ヒンジ機構によって開閉部材を位置ズレなく支持することができる。
【図面の簡単な説明】
【００１２】
【図１】本発明の好適な実施例に係るパチンコ機を示す正面図である。
【図２】実施例のパチンコ機を、中枠に対して前枠を開放した状態で示す斜視図である。
【図３】図１のＡ−Ａ線で破断した断面図であり、パチンコ機の上部を示す。
【図４】図１のＡ−Ａ線で破断した断面図であり、パチンコ機の下部を示す。
【図５】実施例の中枠の要部を示す斜視図であり、(ａ)は中枠の上部左側部を示し、(ｂ)は中枠の下部左側部を示す。
【図６】実施例の前枠の左側部を示す斜視図であり、(ａ)は前側から見た状態であり、(ｂ)は後側から見た状態である。
【図７】(ａ)は実施例の前枠の分解斜視図であり、(ｂ)は(ａ)のＢ部拡大図である。
【図８】実施例のヒンジ部材を示し、(ａ)は側面図であり、(ｂ)は正面図であり、(ｃ)は底面図である。
【図９】実施例のヒンジ部材の斜視図である。
【図１０】実施例のヒンジ部材を分解して示す側面図であり、部材本体を破断した状態で示している。
【図１１】変更例のヒンジ部材を示し、(ａ)は側面図であり、(ｂ)は正面図であり、(ｃ)は底面図である。
【図１２】変更例のヒンジ部材の斜視図である。
【図１３】変更例のヒンジ部材を分解して示す側面図であり、部材本体を破断した状態で示している。
【発明を実施するための形態】
【００１３】
次に、本発明に係る遊技機につき、好適な実施例を挙げて、添付図面を参照して以下に説明する。
【実施例】
【００１４】
(パチンコ機)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠(本体部材)１２が開閉および着脱可能に組み付けられて、該遊技盤２０の裏側に、所定条件の成立(始動入賞装置へのパチンコ球の入賞)を契機として演出用の図柄を変動表示させて図柄変動演出を行う演出実行手段としての図柄表示装置(図示せず)が着脱可能に配設されている。また、中枠１２の前面側には、遊技盤２０を透視保護するガラス板や透明な合成樹脂材により形成された透視保護板５３で前後に開口する窓口１３ａを覆うよう構成された装飾枠としての前枠(開閉部材)１３が開閉可能に組み付けられると共に、該前枠１３の下方にパチンコ球を貯留する下球受け皿１５が設けられている。なお、実施例では、前枠１３の下部位置に、パチンコ球を貯留する上球受け皿１４が一体的に組み付けられており、前枠１３の開閉に合わせて上球受け皿１４も一体的に開閉するよう構成される。そして、外枠１１、中枠１２および前枠１３を閉成した際に、該外枠１１および前枠１３の間に中枠１２が位置するよう構成されている。
【００１５】
図１に示すように、前記前枠１３には、窓口１３ａの外周を囲繞するようランプ装置(発光手段)１８が配設されると共に、前枠１３の下部位置および上部左右位置に、音声や効果音を出力可能なスピーカ１９が配設されている。すなわち、ランプ装置１８に設けられたＬＥＤ等の発光体(図示せず)を点灯・点滅したり、スピーカ１９から適宜の音声を出力することで、図柄表示装置１７での図柄変動演出に合わせて発光演出や音声演出を行い得るよう構成されている。
【００１６】
前記前枠１３の右下方位置には、該中枠１２に配設された打球発射装置２８(図２参照)を作動する操作ハンドル１６が設けられている。操作ハンドル１６は、左回転方向に付勢された操作レバー１６ａを備えており、該操作レバー１６ａを右回転するよう遊技者が回動操作することで打球発射装置２８が作動されて、上球受け皿１４に貯留されたパチンコ球が遊技盤２０の遊技領域２０ａに向けて１球ずつ発射されるようになっている。ここで、操作レバー１６ａの回動量に応じて打球発射装置２８によるパチンコ球の打球力が強弱変化するよう構成されており、遊技者が操作レバー１６ａの回動量を調節することで、遊技領域２０ａへのパチンコ球の発射位置を任意に変更し得るようになっている。なお、実施例では、図柄表示装置としては、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。また、上球受け皿１４は、前枠１３と別体に形成して中枠１２に対して開閉可能に組み付けるようにしてもよい。
【００１７】
(遊技盤)
図１に示すように、前記遊技盤２０は、ベニヤ材や合成樹脂材により形成された略矩形状の板部材であって、遊技盤２０の裏面側に図柄表示装置１７が着脱可能に組み付けられている。遊技盤２０の前面には、略円形状に湾曲形成した案内レール２１が配設されており、該案内レール２１により画成される略円形の遊技領域２０ａに、中枠１２に配設された打球発射装置２８から発射されたパチンコ球が打ち出されることで遊技が行われるようになっている。また、遊技盤２０には、前後に貫通する装着口(図示せず)が適宜位置に開設されており、各装着口に対して各種の遊技盤設置部品(枠状装飾体、始動入賞装置、特別入賞装置、球通過ゲート、普通入賞口部材等)が前側から取り付けられると共に、遊技領域２０ａの最下部位置には、該遊技領域２０ａに打ち出されたパチンコ球を排出するアウト口２２が開設されている。そして、遊技領域２０ａに打ち出されたパチンコ球が入賞装置に入賞することで、所定数の賞球が払い出されるようになっている。
【００１８】
(外枠)
図１および図２に示すように、前記外枠１１は、上縁枠部１１ａ、下縁枠部１１ｂ、左縁枠部１１ｃおよび右縁枠部１１ｄの端部を連結して、前後方向に開放する矩形枠状に組み付けられている。上縁枠部１１ａおよび下縁枠部１１ｂは、上下方向に所定厚みを有する木質系材料で構成される一方、左縁枠部１１ｃおよび右縁枠部１１ｄは、アルミ材等の金属材料で構成されて、外枠１１全体の剛性が高められている。なお、下縁枠部１１ｂの前側には、左右方向に延在する化粧板１１ｅが設けられ、遊技機の前面下部の意匠面を構成している。図３〜図５に示すように、外枠１１の左上端部および左下端部(左右一方の端部)には、上支持受具２４および下支持受具２６が配設されており、該上支持受具２４に下方へ突出形成した上支軸２５と、下支持受具２６に上方へ突出形成した下支軸２７とを介して、中枠１２が開閉自在に支持している。上支持受具２４は、上縁枠部１１ａの左側部から前方に延出するように配設された金属製の板状部分であり、上縁枠部１１ａおよび左縁枠部１１ｃの外面に重ねてネジ止め固定されている。下支持受具２６は、化粧板１１ｅの上部左側端に前方に延出形成された台部に載置されると共に左縁枠部１２ｃにネジ止め固定され、上支持受具と上下に対向するよう、左縁枠部１２ｃよりも前方に延出するように配設されている。
【００１９】
(中枠)
図２に示すように、前記中枠１２は、上縁をなす上枠部材１２ａと、下縁をなし、打球発射装置２８等を設置する設置部として機能する下枠部材１２ｂと、左側縁をなす左枠部材１２ｃと、右側縁をなす右枠部材１２ｄとから構成されて、これら上下左右の枠部材を組み付けた際に、全体が外枠１１の開口領域に整合する大きさに形成されている。そして、前記上下左右の枠部材１２ａ〜１２ｄを組み付けた際に開口する前後の開口領域(以下、遊技盤設置部３０という)に、遊技盤２０が着脱自在に設置されるようになっている。
【００２０】
(連結部)
前記上枠部材１２ａの前面における左上端部(左右一方の端部)には、図３および図５(ａ)に示すように、上側のヒンジ機構を構成する上部連結部３２が配設され、下枠部材１２ｂの前面における左下端部(左右一方の端部)には、図４および図５(ｂ)に示すように、下側のヒンジ機構を構成する下部連結部３８が配設されている。上部連結部３２は、上枠部材１２ａにネジ止め固定されて該上枠部材１２ａから前方に延出する上部連結ベース３３と、板金からなる上部連結ベース３３の下側に回動可能に配設され、該上部連結部３２に上方に開口するように形成された上部軸支孔３４を開閉可能に構成された第１レバー部３５と、上部連結ベース３３の下側に回動可能に配設され、該上部連結部３２に下方に開口するように形成された上部軸受孔３６を開閉可能に構成された第２レバー部３７とを備えている。上部軸支孔３４には、上部連結部３２の左方に開口する軸挿入口が連通しており、図示しないばねによって付勢された第１レバー部３５によって該軸挿入口が塞がれるようになっている。また、上部軸受孔３６には、上部連結部３２の前方に開口する軸挿入口が連通しており、図示しないばねによって付勢された第２レバー部３７によって該軸挿入口が塞がれるようになっている。ここで、上部軸受孔３６が上側のヒンジ機構における軸受部を構成している。
【００２１】
図５(ｂ)に示すように、前記下部連結部３８は、下枠部材１２ｂの下面にネジ止め固定されて、前記上部連結ベース３３と対向するように前方に延出する下部連結ベース３９と、板金からなる下部連結ベース３９の前端部に上方に突出するように設けられた下部ヒンジ軸４０と、この下部ヒンジ軸４０の内側に下方に開口するように設けられた下部軸支孔４１とを備えている。そして、下支持受具２６の下支軸２７を下部連結部３８の下部軸支孔４１に挿入すると共に、上支持受具２４の上支軸２５を上部連結部３２の上部軸支孔３４に挿入することで、中枠１２が外枠１１に対して開閉自在に支持される。
【００２２】
前記第１レバー部３５は、軸挿通口から挿入した上支軸２５に押されて該軸挿通口から退避して上部軸支孔３４への上支軸２５の挿入を許容する一方で、常にはばねの付勢により軸挿通口を塞いで上部軸支孔３４に挿入された上支軸２５を保持するよう構成される。また、第１レバー部３５は、第１レバー部３５の操作によって、軸挿通口から退避して上部軸支孔３４から軸挿通口を介する上支軸２５の抜き出しを許容するようになっている。なお、下部軸支孔４１は、上から下支軸２７に嵌め合わせるだけで簡単に係合し得ると共に、下支軸２７から上方へ抜き出すことで取り外し可能であり、このような上下の軸支機構によれば、中枠１２を外枠１１に対して簡単に着脱することができる。
【００２３】
(前枠)
図６〜図７に示すように、前記前枠１３は、中枠１２の外郭形状に略合致する矩形板状に形成されると共に前後方向に開口する窓口１３ａが開設された前枠基体部４２を基本とし、該前枠基体部４２の前面に窓口１３ａの周囲を囲繞するよう各種の装飾部材４３〜４６が配設されている。ここで、装飾部材としては、窓口１３ａの上側に延在する上装飾部材４３と、窓口１３ａの下側に延在する下装飾部材４４と、窓口１３ａの左側に延在する左装飾部材４５と、窓口１３ａの右側に延在する右装飾部材４６とを有し、上部装飾部材４３,左装飾部材４５および右装飾部材４６は、前記ランプ装置１８の発光部分としても機能している。また、前枠基体部４２の前面下部には、上球受け皿１４の球貯留部を画成する上球皿本体４７や下球受け皿１５の球貯留部を画成する下球皿本体４８の前面側に取り付けられ、これらの球皿本体４７,４８の周囲を覆うように下装飾部材４６が配設されている。更に、前枠基体部４２の後面には、窓口１３ａの上側に延在する上補強部材４９と、窓口１３ａの左側に延在する左補強部材５０と、窓口１３ａの右側に延在する右補強部材５１とが配設され(図７参照)、板金からなる補強部材４９,５０,５１によって窓口１３ａの周囲が補強されている。前枠１３を中枠１２に対して閉成した状態では、中枠１２の前側が前枠１３によって覆われると共に、遊技盤２０に形成された遊技領域２０ａが窓口１３ａを介して前方に露出するよう構成される。前枠基体部４２の後側には、窓口１３ａを覆うように透視保護板５３が配設されており、前枠１３を中枠１２に対して閉成した際に、透視保護板５３が遊技盤２０を前側から透視保護するようになっている。なお、符号５２は、前枠を中枠に対して閉成した際に、中枠の左枠部材１２ｃに係合して隙間を塞ぐ係合部材であり、平断面視でクランク状に形成された板金で構成されている。また、前枠基体部４２の後面には、上側および左側の補強部材４９,５０の後側を覆うように前枠後カバー部材７９が配設されて、補強部材４９,５０と前枠後カバー部材７９との間の隙間または前枠後カバー部材７９に前枠１３に配設されたスピーカ１９等の電気機器に繋がる配線(図示せず)が配設される。
【００２４】
図６に示すように、前記前枠１３の左上端部(左右一方の端部)には、上側のヒンジ機構の軸側を構成する上部ヒンジ軸(ヒンジ軸)７０を備えたヒンジ部材６０が配設され、前枠１３の左上端部(左右一方の端部)には、下側のヒンジ機構の軸受側を構成する下部軸受孔５５を備えたヒンジベース５４が配設されている。 ヒンジベース５４は、前枠基体部４２の左下端部に前方へ延出するように形成されたベースカバー部５６と、このベースカバー部５６の下面に嵌め合わせて前枠基体部４２にネジ止め固定されたベース本体５７とからなり、板金からなるベース本体５７に上下に貫通するように下部軸受孔５５が開設されている。そして、下部連結部３８の下部ヒンジ軸４０をヒンジベース５４の下部軸受孔５５に挿入すると共に、上部ヒンジ軸７０を上部連結部３２の上部軸受孔３６に挿入することで、前枠１３が中枠１２に対して開閉自在に支持される。第２レバー部３７は、軸挿通口から挿入した上部ヒンジ軸７０に押されて該軸挿通口から退避して上部軸受孔３６への上部ヒンジ軸７０の挿入を許容する一方で、常にはばねの付勢により軸挿通口を塞いで上部軸受孔３６に挿入された上部ヒンジ軸７０を保持するよう構成される。また、第２レバー部３７は、該第２レバー部３７の操作によって、軸挿通口から退避して上部軸受孔３６から軸挿通口を介する上部ヒンジ軸７０の抜き出しを許容するようになっている。なお、下部軸受孔５５は、上から下部ヒンジ軸４０に嵌め合わせるだけで簡単に係合し得ると共に、下部ヒンジ軸４０から上方へ抜き出すことで取り外し可能であり、このような上下のヒンジ機構によれば、前枠１３を中枠１２に対して簡単に着脱することができる。
【００２５】
(ヒンジ部材)
図８〜図１１に示すように、前記ヒンジ部材６０は、金属製の板材からなる部材本体６２と、この部材本体に配設された上部ヒンジ軸(ヒンジ軸)７０とから構成される。部材本体６２は、上下方向に延在する連結板部６３と、この連結板部６３から該連結板部６３と交差するように延出形成され、互いに上下に離間して対向する一対の支持板部６４,６５とを有している。部材本体６２は、支持板部６４,６５が連結板部６３の上縁および下縁の夫々から前方へ延出し、連結板部６３の上縁から延出する上支持板部(一方の支持板部)６４の板面と連結板部６３の下縁から延出する下支持板部(他方の支持板部)６５の板面とが上下に対面している。すなわち、部材本体６２は、側面視で前側に開放した「コ」字状に形成されている(図８(ａ)参照)。また、部材本体６２は、上支持板部６４と比べて下支持板部６５が左右幅が狭く設定されており、前枠１３の左側縁に臨む左側縁が、上支持板部６４、連結板部６３および下支持板部６５で揃っている(図８(ｂ)および(ｃ)参照)。なお、部材本体６２は、１枚の板金を折り曲げて形成され、連結板部６３と一対の支持板部６４,６５とが一体となっている。各支持板部６４,６５は、上下に貫通形成された円形状の軸孔６６,６７を夫々有し、両支持板部６４,６５において、夫々の軸孔６６,６７が、中心が互いに揃うように配置されている(図１１参照)。上支持板部６４に開設される上軸孔６６は、該部支持板部６４の延出端左側に偏倚して設けられ、下支持板部６５に開設される下軸孔６７は、該下支持板部６５の延出端略中央部に設けられている(図９参照)。ここで、実施例の部材本体６２では、上下の軸孔６６,６７が同じ大きさで形成されている。
【００２６】
(上部ヒンジ軸)
図８〜図１０に示すように、前記上部ヒンジ軸７０は、両支持板部６４,６５の夫々に貫通形成された軸孔６６,６７に挿通して該両支持板部６４,６５で支持され、上支持板部６４から下支持板部６５と反対側である上方へ延出する軸端部７１が、軸受部となる前記上部連結部３２の上部軸受孔３６に保持される。上部ヒンジ軸７０は、両支持板部６４,６５に形成された軸孔６６,６７に整合する軸本体７２と、該軸本体７２と軸端部７１との間に形成され、上支持板部６４に軸本体７２を挿通可能に開設された上軸孔６６より大径とされた規制部７３とを有している。そして、ヒンジ部材６０は、下支持板部６５から上支持板部６４と反対側である下方に延出する上部ヒンジ軸７０の係止端部７４の周面に取り付けられて、下支持板部６５の下面に引っ掛かる係止部材７５と、上支持板部６４の上面に引っ掛かる規制部７３とにより、上部ヒンジ軸７０の上下方向(両支持板部６４,６５の対向方向)への移動を規制するよう構成されている。また、上部ヒンジ軸７０は、上下の軸孔６６,６７に挿通した軸本体７２が支持板部６４,６５に当接することで、部材本体６２に対する水平方向の移動が規制される。
【００２７】
図８(ａ)および図１０に示すように、上部ヒンジ軸７０は、金属製の丸棒であり、軸本体７２が上下の支持板部６４,６５の離間間隔よりも長く、軸本体７２、軸端部および係止端部７４が同じ太さに設定されている。軸本体７２は、上下の軸孔６６,６７に挿通可能な太さで形成される。ここで、軸本体７２は、軸孔６６,６７の開口径と略同じ径に設定されて、軸孔６６,６７に挿通した際に該軸孔６６,６７に整合して半径方向(水平方向)にガタツキなく位置決めされるようになっている。規制部７３は、軸本体７２の周面よりも半径方向外方へ向けて突出するように形成され、軸本体７２の全周面に対して同じ突出寸法で突出して外形が円形状になっている。規制部７３は、上下の軸孔６６,６７、軸本体７２および該規制部７３から上方へ突出する軸端部７１よりも大径に形成されている。上部ヒンジ軸７０は、軸本体７２を上軸孔６６に対して上側から挿入されて、上支持板部６４の上側に規制部７３を配置し、規制部７３を上支持板部６４の上面に引っ掛けて、部材本体６２から下方へ抜けないようにしている。上部ヒンジ軸７０は、上下の軸孔６６,６７に軸本体７２を挿通して部材本体６２に取り付けた際に、規制部７３により下方変位が規制された軸本体７２の下部が下軸孔６７を介して下支持板部６５よりも下方へ延出し、この軸本体７２の下部が係止端部７４となる。そして、係止端部７４に係止部材７５が取り付けられる。
【００２８】
前記係止部材７５としては、係止端部７４の周面に嵌め合わせて装着するＥリングやスナップリテーナー(ダルマピン)やＯリングなどの止め輪、あるいは、係止端部７４に半径方向に貫通形成された係止孔に嵌め込んで装着する割りピンやＲピン(スナップピン)など、係止端部７４の周面よりも半径方向外方へ突出すると共に該係止端部７４より脱落し難い各種構成を用いることができる。図８(ｃ)に示すように、実施例では、係止部材７５としてＥリングが採用されている。係止端部７４に装着される係止部材７５は、下軸孔６７よりも大寸になるよう設定されており、該下軸孔６７を通過不能になっている。係止端部７４には、規制部７３と上支持板部６４との係合により軸本体７２の下方変位が規制された状態において下支持板部６５のすぐ下側になる部位に、周面より凹ませて係止溝７４ａが形成され(図１０参照)、この係止溝７４ａに係止部材７５が嵌め込まれている。係止部材７５は、係止端部７４の周面に対して半径方向から着脱可能としてもよいが、係止端部７４に対して上部ヒンジ軸７０の軸方向に移動不能または移動困難に配設される。すなわち、ヒンジ部材６０は、係止部材７５を係止端部７４に対して着脱可能とすることで、部材本体６２に対して上部ヒンジ軸７０を取り外したり、取り付けることができる。
【００２９】
前記ヒンジ部材６０は、規制部７３が上支持板部６４の上面に引っ掛かって上部ヒンジ軸７０の下方変位が規制され、上部ヒンジ軸７０の自重によってこの状態が維持され、係止部材７５が下支持板部６５の下面に引っ掛かって上部ヒンジ軸７０の上方変位が規制される。そして、ヒンジ部材６０は、軸本体７２の上部位置と下部位置との２箇所で軸孔６６,６７に整合して半径方向の移動が規制され、軸端部７１を前記上部連結部３２の上部軸受孔３６に嵌め合わせた際に上部ヒンジ軸７０にかかる負荷を上下の支持板部６４,６５に分散して受けるようになっている。なお、部材本体６２に対する上部ヒンジ軸７０の上下方向を中心とする軸周りの回転は許容される。上部ヒンジ軸７０を部材本体６２に対して回転可能に構成することで、上部連結部３２の上部軸受孔３６に対する挿脱に際して互いの摺動抵抗を減らすことができ、前枠１３の上部を上側のヒンジ機構で中枠１２に対してスムーズに着脱することができる。
【００３０】
(ヒンジ部材の取り付け構造)
図６に示すように、前記ヒンジ部材６０は、前枠１３における前枠基体部４２の上部左隅部に配設され、前枠１３の上面から上部ヒンジ軸７０の軸端部７１が上方に延出している。図７に示すように、前枠基体部４２には、その上面左端に上支持板部６４の下面に合わせて平坦なヒンジ載置部４２ａが形成されると共に、このヒンジ載置部４２ａよりも上下の支持板部６４,６５の離間間隔分下方へ離れた位置に、該前枠基体部４２の左側縁に開口するヒンジ収容溝４２ｂが形成されている。ヒンジ部材６０は、前枠基体部４２の左側縁から下支持板部６５をヒンジ収容溝４２ｂに挿入すると共に、上支持板部６４をヒンジ載置部４２ａに載置して、上部ヒンジ軸７０を前枠基体部４２の前側に配置し、連結板部６３を前枠基体部４２の後面に重ね合わせてネジ止め固定することで、前枠基体部４２に設置される。ここで、連結板部には、前枠基体部４２のネジ孔４２ｃにネジ止めするネジが挿通するネジ通孔６３ａと、前枠基体部４２の後面に後方へ突設された位置決めピン４２ｄが嵌り込む位置決め孔６３ｂが開設されており、位置決めピン４２ｄと位置決め孔６３ｂとの係合によりヒンジ部材６０を前枠基体部４２に位置決めし得る。また、前枠基体部４２に設置したヒンジ部材６０の前側には、前枠基体部４２の前側に突出する支持板部６４,６５および上部ヒンジ軸７０を収容可能な後方に開放した凹状に形成されたヒンジカバー部材７８が取り付けられる(図３参照)。ヒンジカバー部材７８は、ヒンジ部材６０の前側および前枠基体部４２の左側面上部を前記ヒンジ収容溝４２ｂにかけて覆い、該ヒンジ収容溝４２ｂを隠している。また、ヒンジカバー部材７８の前側は、上装飾部材４３で覆われている。また、ヒンジ部材６０における前枠基体部４２の後面に臨む連結板部６３のネジ通孔６３ａを介して、前枠基体部４２の後面に取り付けられる上補強部材４９の左端部が連結板部６３に重なるようにネジ止め固定されて、該上補強部材４９によりヒンジ部材６０が後側から保持されている。更に、ヒンジ部材６０における前枠基体部４２の後面に臨む連結板部６３のネジ通孔６３ａを介して、上補強部材４９の後側に取り付けられる前枠後カバー部材７９の左端部が連結板部６３に重なるようにネジ止め固定される。
【００３１】
〔実施例の作用〕
次に、実施例に係るパチンコ機１０の作用について説明する。上部ヒンジ軸７０が一対の支持板部６４,６５で離間した位置で支持されているので、上部ヒンジ軸７０にかかる前枠１３の荷重を両支持板部６４,６５に分散させることができる。すなわち、上部ヒンジ軸７０にかかる荷重を、該上部ヒンジ軸７０が配設されたヒンジ部材６０における部材本体６２の１箇所で受けるのではなく、ヒンジ部材６０における部材本体６２の２箇所で受ける構成であるから、上部ヒンジ軸７０が支持板部６４,６５による支持部位で折れたり、曲がったりする等の不具合が生じ難く、上部ヒンジ軸７０の耐久性を向上することができる。このように、上側のヒンジ機構は、前枠１３の荷重を受けても該前枠１３の適正な姿勢を保つことができ、前枠１３を中枠１２に対して位置ズレなく支持することができる。特に、実施例の前枠１３は、前方に大きく突出する装飾部材４３〜４６と、上球受け皿１４に配設されて、大型の可動体による動作演出を行い得る可動演出装置７６とを有して重量が嵩むが、前述の如く上側のヒンジ機構による支持能力が高いので、前枠１３を適切に支持し得る。このようにヒンジ機構によって中枠１２に対してパチンコ機１０の前面を構成する前枠１３を適切に支持し得るから、前枠１３が中枠１２と位置ズレして意匠を損なったり、打球発射装置２８などの中枠１２に配設された部材や球送り装置などの前枠１３の後面に配設された部材などが干渉したり、中枠１２から球受け皿１４,１５に繋がるパチンコ球の通路がずれるといった各種の不具合の発生を防止できる。
【００３２】
前記ヒンジ部材６０は、上部ヒンジ軸７０の係止端部７４の周面に取り付けられて、下支持板部６５に引っ掛かる係止部材７５と、上支持板部６４に引っ掛かる上部ヒンジ軸７０の規制部７３とにより、両支持板部６４,６５の軸孔６６,６７に挿通した上部ヒンジ軸７０の抜け止めを図ることができる。
【００３３】
(変更例)
本願は前述した実施例および後述する変更例の構成に限定されるものではなく、その他の構成を適宜に採用することができる。
【００３４】
(１)ヒンジ部材の構成は実施例に限られず、各種構成を採用し得る。例えば図１１〜図１３に示すように、変更例のヒンジ部材８０は、実施例と同様に、金属製の板材からなる部材本体８２と、この部材本体８２に配設された上部ヒンジ軸(ヒンジ軸)９０とから構成される。変更例において部材本体８２の連結板部８３,上支持板部８４および下支持板部８５の構成は、実施例と同じであるので説明を省略するが、上支持板部８４に開設された上軸孔８６が、下支持板部８５に開設された下軸孔８７より大径で形成されている。なお、両支持板部８４,８５において、夫々の軸孔８６,８７が、中心が互いに揃うように配置されている。図１２および図１３に示すように、前記上部ヒンジ軸９０は、両支持板部８４,８５の夫々に貫通形成された軸孔８６,８７に挿通して該両支持板部８４,８５で支持され、上支持板部８４から下支持板部８５と反対側である上方へ延出する軸端部９１が、軸受部となる前記上部連結部３２の上部軸受孔３６に保持される。また、上部ヒンジ軸９０は、前記軸端部９１と反対の下端部に形成され、下支持板部８５に開設された下軸孔８７に挿通して該下支持板部８５の下方へ延出する係止端部９４と、下支持板部８５に係止端部９４を挿通可能に形成された下軸孔８７より大径に形成されると共に、上支持板部８４に形成された上軸孔８６と整合する軸本体９２とを有している。そして、ヒンジ部材８０は、係止端部９４の周面に設けられた係止溝９４ａに取り付けられて、下支持板部８５の下面に引っ掛かる実施例と同じＥリングからなる係止部材７５と、下支持板部８５の上面に引っ掛かる軸本体９２とにより、上部ヒンジ軸９０の上下方向(両支持板部８４,８５の対向方向)への移動を規制し、上部ヒンジ軸９０の抜け止めを図ることができる。このように、変更例の上部ヒンジ軸９０は、軸端部９１および係止端部９４が同じ径で形成される一方で、軸本体９２が軸端部９１および係止端部９４より大径に形成される。そして、上軸孔８６から上部ヒンジ軸９０を挿入して下軸孔８７に係止端部９４を挿入した際に、下軸孔８７より大径の軸本体９２の下端が下支持板部８５に位置規制されると共に、上軸孔８６と軸本体９２の上端が揃うように配設される。上部ヒンジ軸９０の係止端部の周面に取り付けられて、他方の支持板部に引っ掛かる係止部材と、他方の支持板部に引っ掛かるヒンジ軸の軸本体とにより、両支持板部の軸孔に挿通したヒンジ軸の抜け止めを図ることができる。このように変更例のヒンジ部材８０によれば、実施例で説明した作用効果に加えて、上支持板部８４の上軸孔８６に対して上部ヒンジ軸９０において係止端部９４より大径の軸本体９２が整合する構成であるから、上部ヒンジ軸９０が上支持板部８４による支持部位で折れたり、曲がったりする等の不具合の発生をより好適に防止できる。
【００３５】
(２)部材本体に設けられる支持板部は、２枚以上であれば、３以上の複数を対向配置してもよい。この場合に複数の支持板部は、最も係止端部側に位置する支持板部(他方の支持板部)の軸孔を前述した実施例または変更例の下軸孔の関係で形成し、その他の支持板部(一方の支持板部)の軸孔を前述した実施例または変更例の上軸孔の関係で形成すればよい。
(３)ヒンジ軸における軸本体および係止端部を多角柱状に形成すると共に、軸孔を軸本体および係止端部の外形に対応した多角形状としてもよい。この場合であっても、軸端部は円柱状とするのが望ましい。
(４)実施例のヒンジ軸の規制部は、周面全部に亘って設ける構成ではなく、周面の一部範囲だけに形成する構成であってもよい。
【００３６】
(５)前枠(装飾枠、開閉部材)の上端部を中枠(本体枠、本体部材)に対して支持する上側のヒンジ機構に、本発明に係るヒンジ機構の構成を適用したが、前枠(装飾枠、開閉部材)の下端部を中枠(本体枠、本体部材)に対して支持する下側のヒンジ機構に、本発明に係るヒンジ機構の構成を適用してもよい。
(６)ヒンジ軸と軸受部との関係は実施例または変更例と逆にしてもよい。例えば中枠にヒンジ部材を配設し、前枠に軸受部を構成する連結部を設けてもよい。
(７)本発明に係るヒンジ機構は、中枠(本体枠)を外枠(固定枠)に対して開閉可能に支持する開閉機構に採用してもよく、枠部材(前枠、中枠、外枠)以外のその他の開閉機構に用いてもよい。例えば、球受け皿を前枠と別体に構成して球受け皿を前枠に対して開閉可能に支持する開閉機構に適用することができる。
(８)遊技機としては、パチンコ機に限られるものではなく、アレンジボール機やパチンコ球を用いたスロットマシン等、その他各種の遊技機であってもよい。
【符号の説明】
【００３７】
１２ 中枠(本体部材、本体枠)
１３ 前枠(開閉部材、装飾枠)
３６ 上部軸受孔(軸受部)
６０,８０ ヒンジ部材
６３,８３ 連結板部
６４,８４ 上支持板部(支持板部)
６５,８５ 下支持板部(支持板部)
６６,８６ 上軸孔(軸孔)
６７,８７ 下軸孔(軸孔)
７０,９０ 上部ヒンジ軸(ヒンジ軸)
７１,９１ 軸端部
７２,９２ 軸本体
７３ 規制部
７４,９４ 係止端部
７５ 係止部材
【図１】
2015202281.tif 000003
【図２】
2015202281.tif 000004
【図３】
2015202281.tif 000005
【図４】
2015202281.tif 000006
【図５】
2015202281.tif 000007
【図６】
2015202281.tif 000008
【図７】
2015202281.tif 000009
【図８】
2015202281.tif 000010
【図９】
2015202281.tif 000011
【図１０】
2015202281.tif 000012
【図１１】
2015202281.tif 000013
【図１２】
2015202281.tif 000014
【図１３】
2015202281.tif 000015